(57)【要約】      （修正有）【課題】身体の麻痺した側の手の平が上を向いて、曲がって握った状態で関節が固まった手指の爪を切ることができる爪切りの提供。【解決手段】基台３と、該基台３に取り付けられた支柱２と、前記支柱２の頭部に取り付けられた爪切り１と、前記爪切り１と足によって前記爪切り１を作動させる機構とを備えた福祉用爪切り器であって、前記支柱２が外力によってフレキシブルに変形し、該外力を解除すると変形させられた姿勢を保持し、爪を切る指の位置で固定でき、また前記爪切り１を作動させる機構は、ワイヤー４，１０を介して足の操作で作動させる足踏み板５を備えている。前記支柱２は、変形時に前記爪切り１が爪を切る高さと角度、及び位置で爪口まで届き固定できる長さである。さらに爪切り１の近傍にはフレキシブルに変形可能な部材で構成されたアーム９を備えた拡大鏡８が取り付けられている。【選択図】図２
2019217121.tif 000002
【特許請求の範囲】
【請求項１】
基台と、該基台に取り付けられた支柱と、前記支柱の頭部に取り付けられた爪切りと、前記爪切りと足によって前記爪切りを作動させる機構とを備えた福祉用爪切り器であって、前記支柱が外力によってフレキシブルに変形し、該外力を解除すると変形させられた姿勢を保持し、爪を切る指の位置で固定できる福祉用爪切り器
【請求項２】
前記爪切りを作動させる機構は、ワイヤーを介して足の操作で作動させる足踏み板を備えた請求項１に記載の福祉用爪切り器
【請求項３】
前記爪切りの近傍にフレキシブルに変形可能な部材で構成されたアームを供えた拡大鏡が取り付けられた請求項１または請求項２記載の福祉用爪切り器
【発明の詳細な説明】
【技術分野】
【０００１】
本発明は、介助者なしで爪切りの使用者が爪切りを所望の角度又は位置で自在に固定でき足の操作で作動させて片手で麻痺側の爪を切ることができる爪切りに関するものである。
【背景技術】
【０００２】
脳卒中や、他の疾患で片手の麻痺を生じている人が、介助者の助けを求めず独力で片手のみで操作して作動させる爪切りは、これまでに発明され工夫されていた。
しかしながら、従来の発明品や実用新案品、非特許文献における爪切り器は、麻痺のある方で、麻痺の無い片手操作で、独力で麻痺をした身体の片側の手指の爪を切るのに際して、爪切り器本体を台部に固定（特許文献１）、又は板に取り付け（特許文献３）、又は補助台に固定（実用新案文献１）、又は台盤に固定（実用新案文献２）、又は爪切り保持台に取り付け（特許文献２）、非特許爪切り器などで、爪切り器本体が台等で水平に固定していて、高さ、位置が決まっており、爪を切る手指を爪切り器本体の高さ、位置に合わせる必要があり、手指を伸ばして水平にして爪切り器本体に近づけることができなければ、爪は切れない問題があった。
【先行技術文献】
【特許文献】
【０００３】
【特許文献１】特開２００２−３４５５４７号
【特許文献２】特開２００１−２９９４３６号
【特許文献３】特開平１１−１５５６２８号
【特許文献４】実登３１９６０２３
【特許文献５】実登３０７７４７９
【非特許文献】
【０００４】
【非特許文献１】ウカイ利器「らくらく台付き爪切り３」、「ワンハンド爪切り３」、大肢協自助具の部屋「片手用ツメ切り（タイプ２）」
【発明の概要】
【発明が解決しようとする課題】
【０００５】
そこで、本発明は従来の発明品や実用新案品、非特許文献における爪切り器は、身体の麻痺した側の手の平が上を向いて、曲がって握った状態で関節が固まった手指の爪を切ることができない問題を解決する目的とする。
【課題を解決するための手段】
【０００６】
本発明は、基台と、該基台に取り付けられた支柱と、前記支柱の頭部に取り付けられた爪切りと、前記爪切りと足によって前記爪切りを作動させる機構とを備えた福祉用爪切り器であって、前記支柱が外力によってフレキシブルに変形し、該外力を解除すると変形させられた姿勢を保持し、爪を切る指の位置で固定でき、前記爪切りを作動させる機構は、ワイヤーを介して足の操作で作動させる足踏み板を備えている。さらに前記爪切りの近傍にフレキシブルに変形可能な部材で構成されたアームを供えた拡大鏡が取り付けられていることで、上述した問題を解決している。
【発明の効果】
【０００７】
本発明によれば、脳卒中の身体の麻痺した側の関節が固まって曲がって伸びなくなった手指の爪の角度、高さ、位置に合わせて爪切りを逆さまにしたり、回転させたり、傾けたりして自在にセットでき、麻痺をしていない側の足を使って足踏み板を踏むことでワイヤーを介して爪切りの押圧板を抑えることで、曲がった手指の爪を容易に切ることができる。さらに足の動作のみで爪切りが作動することで、曲がった手指を動かないように非麻痺側の手でしっかりと保持して爪を爪切りの上下の刃の間に静止させて、爪を安全に切ることができ、かつ麻痺をしていない側の手指の爪も切ることが可能である。
【図面の簡単な説明】
【０００８】
【図１】福祉用爪切り器の斜視図である。
【図２】福祉用爪切り器を使用している図である。
【図３】麻痺で曲がった指を非麻痺側の指で保持して、福祉用爪切り器を所望な角度、高さ、位置にセットして福祉用爪切り器を作動させている図である。
【発明を実施するための形態】
【０００９】
以下、本発明の実施形態について図面を参照しつつ説明する。本発明は、基台３と、基台３に取り付けられた支柱２と、支柱２の頭部に取り付けられた爪切り１と爪切り１と足踏み板５を接続し作動させるワイヤー４、１０と足踏み板５で構成されている。さらに爪切り１の近傍にアーム９を備えた拡大鏡８が取り付けられている。
基台３は支柱２を固定する機能を持っている。図１、２，３、では基台１は両膝の上における位の大きさの板状となっているが、基台３をテーブルの板状の端やベッドの柵を挟むためにグリップ、またはクランプにして上部に支柱２を取り付けてもよい。その場合支柱２と基台３の取り付けを螺子にすれば取り外し可能となり、基台を状況に応じてグリップやクランプに変更可能である。
支柱２は手の力で容易に前後、左右、上下、回転と自在に曲がり、曲げた姿勢を保持するフレキシブルな変形可能な部材から成り立つので、爪切り１を回転したり、逆にしたり、傾けたりして所望の高さ、角度及び位置に固定でき、またワイヤー４、１０を介して爪切り１を作動させても爪切りが動かない位の固定性と爪切り１が指を曲げた状態で手の平と指の空間に入る必要があるので、図１、２、３では直径３．８ｍｍで空洞のアルミ製支柱を使用して、支柱２が爪切りの支障にならないように細くし、さらに支柱２は爪切り１とワイヤー４、１０の重さで姿勢を崩さないように固定性がある作りである。図１、２、３で支柱２は爪切り１のストッパーケース台１１の底部に接着しており、基台３の上に手を置いて、曲がった手指の爪を切るために、支柱２を変形させて爪切り１を所望な高さ、角度及び位置で固定でき爪口まで届く位の長さにしている。図３では、麻痺で曲がった指を非麻痺側の指で保持して爪切り１が逆さまになった姿勢まで支柱２を曲げて爪切り１を作動させている福祉用爪切り器を示している。また支柱２の基台３と爪切り１の固定接合部を螺子にすれば、指の爪を切る身体の姿勢や指の状態に応じて長さや直径のことなる支柱２に変換することが可能である。
爪切り１は付け外し可能なようになっているストッパーケース台１１を備えている。また爪切り１の押圧片６先端にインナーワイヤー１０を固定するために付け外しできるキャップ１２を備えている。ストッパーケース台１１は爪切り１を収納するだけでなく、底部が支柱２と接合し固定して爪切り１が作動時に動揺しない、またストッパーケース台１１に拡大鏡８を支えているアーム９を固定する機能を有しているので、固定台として強固にしている。爪切り１に接合する支柱２を替えることができるように、支柱２の頭部を螺子にした場合、底部の接合部にナットの機能を持ったストッパーケース台１１となる。爪切り１の備えたキャップ１２は押圧片６先端にあるので、押圧片６を長くしてテコの原理でインナーワイヤー１０の軽い引っ張る力で爪切り１が作動できる。また、ストッパーケース台１１とキャップ１２は爪切り１を同じサイズの新しい爪切りに交換できるように、爪切り１を付け外しできる作りとなっている。
ワイヤー４、１０は爪切り１と足踏み台５を接続している。ワイヤーはアウトワイヤー４とインナーワイヤー１０で構成しており、アウターワイヤー４は曲がってもインナーワイヤー１０の作用する力を保つ役割がある。インナーワイヤー１０の終始部に引っ掛け部を取り付ければ、キャップ１２と足踏み板５の接続部は付け外し可能となり、使用者の姿勢に応じてワイヤー４、１０の長さが取り替えられる。そうすれば、爪切り１が離れていても足の届く範囲に足踏み板５を置くことができる。またストッパーケース台１１の後部真ん中底部に支柱２を位置すれば、押圧片６の端に位置するキャップ１２から接続したインナーワイヤー１０をまっすぐストッパーケース台１１の後部真ん中を通り直接支柱２の空洞部を貫通させて、支柱２の底部からアウターワイヤー４へと通せばより、インナーワイヤー１０を引っ張る力が爪切り１が作動時により無駄なく伝わり、爪切り１が動揺する可能性がすくなくなる。
足踏み板５は、踏むとインナーワイヤー１０が引っ張られ、爪切り１の押圧片６が下がり、爪切り器１が作動する機能を持っている。図１、２、３では足踏み板５がペダルの方法を取っているが、両板を両大腿部で挟んで閉じる動作でインナーワイヤー１０を引っ張り爪切り１を作動させることも可能である。
拡大鏡８はアーム９を備えており、アーム９は拡大鏡８が爪切り１の前後、左右、上下と所望の高さ、角度、及び位置と届き固定できるようなフレキシブルな変性可能な部材で成り立ち、爪切り１に備えているストッパーケース台１１の近傍である左右か上部または前後に位置している。そのために拡大鏡８は爪切り１の上方、下方、左右横側に移動でき、爪を切るときに爪切り１がどのような姿勢であっても爪口を拡大して切る爪を見ることができる。
【実施例】
【００１０】
以下本発明に係る福祉用爪切り器について、実施例に基づいて図２、図３を用いて説明をする。
図３は、麻痺で曲がった指を非麻痺側の指で保持して、爪切り１を所望な角度、高さ、位置にセットしている図である。使用方法はまず基台１を使用する人の両膝の上か、両膝と同じくらいの高さのテーブルの上に置き、足踏み板５を身体の非麻痺側の足元に置く。次に麻痺で曲がった指のある手を基台３の上に乗せる。図３参照。脳卒中を発症して麻痺のある方の多くは、手の平が上を上向いていて手を指の関節が固まって関節が動かないので、曲がった指の爪に、支柱２を非麻痺側の手で曲げて爪切り１の刃７が向かい合うように爪切り器１をセットする。切る爪が見やすい位置に拡大鏡８のアーム９を非麻痺側の手で動かしあらかじめ、拡大鏡８をセットしておく。爪切り１は上下、左右、回転と自在に所望の位置で固定すると、非麻痺側の指で麻痺の指を把持して、爪を爪切り器１の刃７の間に挿入する。位置を確かめながら、足踏み板５で非麻痺側の足で踏むと爪が切れる。切った爪はストッパーケース台１１に入るので、キャップ１２を押圧片６からはずし、爪切り１をストッパーケース台１１から引き抜けば、簡単に切った爪が取れる。
麻痺側の指が伸ばせられる場合は、福祉用爪切り器をテーブルに置いて爪切り１を水平に保ち、非麻痺側の指で麻痺側の指を把持して爪を爪切り１の刃７の間に挿入して、足踏み板５を非麻痺側の足で踏んで爪切り１を作動させる。
爪を切る人がベッドで寝ている姿勢の時は、やや上半身をベッドから起こした姿勢にして、基台１をグリップにしてベッド柵に挟む、またはクランプにしてベッドに螺子で閉めて支柱２を固定する。つぎに支柱２を非麻痺側の手で曲げて爪を切ろうとする麻痺した指の爪口まで爪切り１をセットする。もし指の関節が曲げた状態であれば爪切り１は手の平の上で逆さまに位置している。拡大鏡８を爪口が見える位置に来るようにアーム９を曲げてセットする。足踏み板５を両膝に挟んで非麻痺側の膝で足踏み板５を押せば、インナーワイヤー１０が引っ張られて爪切り１が作動し、爪が切れる。
【産業上の利用可能性】
【００１１】
本発明品は、片手が不自由、特に脳卒中を発症し麻痺側で曲がって固まった手指の爪を独力で切ることができる福祉用爪切り器なので福祉分野で役立つ可能性がある。
【符号の説明】
【００１２】
１  爪切り
２  支柱
３  基台
４  アウトワイヤー
５  足踏み板
６  押圧片
７  刃                
８  拡大鏡                    
９  アーム
１０インナーワイヤー
１１ストッパーケース台
１２キャップ
【図１】
2019217121.tif 000003
【図２】
2019217121.tif 000004
【図３】
2019217121.tif 000005